(57)【要約】      （修正有）【課題】２段階でロック可能であるが、一回の操作でロックを完全に解除できるスライドレールアセンブリを提供する。【解決手段】スライドレールアセンブリ２２は第１のレール２６、第２のレール２８、第１のロック機構４６及び第２のロック機構４８を含む。第２のレールは第１のレールに対して変位可能である。第１のロック機構及び第２のロック機構は第２のレールの２つの異なる部分にそれぞれ配置され、第２のレールを２つの所定の伸長位置のうちのいずれかで維持するために、別個に第１のレールにロックできる。そして、第１のロック機構及び第２のロック機構は、第２のレールを第１のレールに対して引っ込めることができるように操作されて第１のレールからロック解除できる。【選択図】図２
2020110568.tif 000002
【特許請求の範囲】
【請求項１】
前端及びブロック部を含む第１のレールであって、該ブロック部は幅を有する、第１のレールと、
前記第１のレールに対して長手方向に変位可能な第２のレールと、
前記第２のレールに配置される第１のロック機構であって、該第１のロック機構は第１の要素、第２の要素、第１の弾性要素及び第２の弾性要素を含み、該第１の弾性要素は該第１の要素に弾性力を加えるように構成され、該第２の要素は前記第２のレールに対して第１の位置及び第２の位置のいずれかにあるように構成され、該第２の要素は該第２の弾性要素の弾性力に対応して該第１の位置で留まるように構成され、該第１の要素及び該第２の要素は、該第２の要素が該第１の位置にある場合にお互いの間に第１の空間を定義し、該第１の空間は前記ブロック部の幅よりも小さい、第１のロック機構と、
前記第２のレールに配置される第２のロック機構と、
前記第１のロック機構及び前記第２のロック機構に接続される操作部材と、
を含むスライドレールアセンブリであって、
前記第２のレールが前記第１のレールに対して引っ込め位置から第１の方向に変位された後で所定の位置に到達した場合、前記第１のロック機構の第２の要素は前記第１のレールのブロック部と接触し、
前記第２のレールが前記第１のレールに対して前記第１の方向にさらに変位された後で第１の所定の位置に到達して前記第１のレールの前端を越えて第１の距離伸長した場合、前記第２の要素は、前記第２の弾性要素が弾性力を蓄積し、前記第２の要素と前記第１の要素との間の前記第１の空間がロック空間に変化し、前記第１のレールのブロック部が該ロック空間内でロックされて、前記第２の要素及び前記第１の要素が前記ブロック部にロックされるように前記第２のレールに対して前記第２の位置に到達し、
前記操作部材を操作することにより前記第２の要素及び前記第１の要素が前記ブロック部からロック解除されると、前記第２の弾性要素は蓄積した弾性力を放って前記第２の要素を前記第１の位置に戻し、前記第２のレールが前記第１のレールに対して前記第１の所定の位置から前記第１の方向に変位された後で第２の所定の位置に到達して前記第１のレールの前端を越えて第２の距離伸長した場合、前記第２のロック機構は前記第１のレールのブロック部にロックされ、
前記操作部材は、前記第２のレールを前記第１のレールに対して第２の方向に引っ込めることができるように前記第１のロック機構及び前記第２のロック機構をロック状態から非ロック状態に駆動させるよう動作可能である、スライドレールアセンブリ。
【請求項２】
前記第１の要素は第１のシャフトを通じて前記第２のレールに回転可能に取り付けられ、前記第２の要素は第２のシャフトを通じて前記第２のレールに回転可能に取り付けられる、請求項１に記載のスライドレールアセンブリ。
【請求項３】
前記第２の要素及び前記第２のレールのうちの一方はスロットを含み、前記第２のシャフトは該スロットの一部を貫通して前記第２の要素が前記第１の位置及び前記第２の位置のいずれかにあることができるようにし、
前記第２の弾性要素は前記第２のレールの長手方向に沿って配置される、請求項２に記載のスライドレールアセンブリ。
【請求項４】
前記第１の弾性要素はバネであり、前記第２の弾性要素はバネであり、前記第１の弾性要素と前記第２の弾性要素とは実質的に同じ方向に配置される、請求項３に記載のスライドレールアセンブリ。
【請求項５】
前記第２のレールは第１の位置制限部及び第２の位置制限部を含み、前記第１の要素及び前記第２の要素は第１の構造及び第２の構造をそれぞれ含み、該第１の構造及び該第２の構造は該第１の位置制限部及び該第２の位置制限部とそれぞれ協働するように構成され、
前記第２のレールは第３の位置制限部をさらに含み、前記第１の要素及び前記第２の要素は第３の構造及び第４の構造をそれぞれ含み、該第３の構造及び該第４の構造は該第３の位置制限部と協働するように構成され、
前記第１のシャフトは前記第３の構造と前記第１の構造との間に位置し、前記第２のシャフトは前記第４の構造と前記第２の構造との間に位置する、請求項２に記載のスライドレールアセンブリ。
【請求項６】
前記第１の要素は第１のガイド部を含み、該第１のガイド部は、前記第１の要素が前記ブロック部の第１の側を越えて前記ブロック部の第２の側へと前記第１の方向に移動できるようにし、
前記第１の要素及び前記第２の要素は、前記第２のレールが前記第１の所定の位置にある場合に前記ブロック部の２つの側にそれぞれ位置し且つロック状態にあり、
前記操作部材は、前記第２のレールが前記第１のレールに対して前記第１の所定の位置から前記第２の所定の位置へと前記第１の方向に変位できるように前記第１の要素及び前記第２の要素をロック状態から非ロック状態に変化させるよう動作可能である、請求項３に記載のスライドレールアセンブリ。
【請求項７】
前記第２のロック機構は前記第２のレールに枢結される第３の要素を含み、
前記スライドレールアセンブリはベースをさらに含み、該ベースは前記第３の要素に弾性力を加えるための弾性部を含み、
前記第３の要素はガイド構造を含み、該ガイド構造は前記第３の要素が前記ブロック部の第１の側を越えて前記ブロック部の第２の側へと前記第１の方向に移動できるようにし、
前記第２のレールが前記第２の所定の位置にある場合、前記第３の要素は前記ブロック部の第２の側にあり且つロック状態にあり、
前記操作部材は、前記第２のレールを前記第１のレールに対して前記第２の所定の位置から前記第２の方向に引っ込めることができるように前記第３の要素、前記第２の要素及び前記第１の要素をロック状態から非ロック状態に変化させるよう動作可能である、請求項６に記載のスライドレールアセンブリ。
【請求項８】
第３のレールをさらに含み、前記第１のレールは該第３のレールと前記第２のレールとの間に可動に取り付けられる、請求項１に記載のスライドレールアセンブリ。
【請求項９】
スライドレールと、
前記スライドレールの２つの異なる部分にそれぞれ配置される第１のロック機構及び第２のロック機構であって、該第１のロック機構は第１の要素、第２の要素、第１の弾性要素及び第２の弾性要素を含み、該第１の弾性要素は該第１の要素に弾性力を加えるように構成され、該第２の要素はシャフトを通じて前記スライドレールに回転可能に取り付けられ、該第２の要素及び前記スライドレールのうちの一方にスロットが設けられ、該シャフトは該スロットの一部を貫通して該第２の要素が第１の位置及び第２の位置のいずれかにあることができるようにし、該第２の要素は該第２の弾性要素の弾性力に対応して該第１の位置で留まる、第１のロック機構及び第２のロック機構と、
前記第１のロック機構及び前記第２のロック機構を操作するための操作部材と、
を含むレールキットであって、
前記第２の要素が前記第１の位置にある場合、前記第２の要素及び前記第１の要素はお互いの間に第１の空間を定義し、
前記第２の要素が前記第２の位置にある場合、前記第１の空間は前記第１の空間よりも大きいロック空間に変化し、
前記第２の弾性要素は前記スライドレールの長さに沿って実質的に配置される、レールキット。
【請求項１０】
前記スライドレールは第１の位置制限部及び第２の位置制限部を含み、前記第１の要素は別のシャフトを通じて前記スライドレールに回転可能に取り付けられ、
前記第１の要素及び前記第２の要素は第１の構造及び第２の構造をそれぞれ含み、該第１の構造及び該第２の構造は前記第１の位置制限部及び前記第２の位置制限部とそれぞれ協働するように構成されている、請求項９に記載のレールキット。
【発明の詳細な説明】
【技術分野】
【０００１】
本発明はスライドレールに関し、より具体的には２段階ロックが可能なスライドレールアセンブリに関する。
【背景技術】
【０００２】
一般に、スライドレールアセンブリは第１のレールと、第１のレールに対して変位するように構成された第２のレールとを含む。第１のレールと第２のレールとの間には通常ブロック構造が設けられる。そのため、第２のレールが第１のレールに対して所定の方向に変位された後で所定の位置に到達した場合に、ブロック構造は第２のレールが第１のレールに対して係る所定の方向にさらに変位するのを防止することにより係る所定の位置で第２のレールを維持する。技術の発展に伴い、第２のレールを第１のレールに対して所定の位置でブロック機構により維持できるだけでなく、操作部材を通じてブロック機構を無効にして第２のレールを第１のレールに対して特定の方向にさらに変位させることができる関連商品が開発されている。例えば、特許文献１には、外側レール（２０）、内側レール（３０）、ブロック部材（５０）及びロック部材（７０）を含むスライドレールアセンブリが開示されている。ロック部材（７０）は内側レール（３０）に枢結されている。内側レール（３０）が外側レール（２０）に対して所定の位置にある場合、ロック部材（７０）及びブロック部材（５０）は、内側レール（３０）が外側レール（２０）に対して勝手に変位するのを防止するために互いにブロックし合う。
【先行技術文献】
【特許文献】
【０００３】
【特許文献１】米国特許第６４１２８９１号明細書
【特許文献２】米国特許出願公開第２００８／０１９７７５８号明細書
【発明の概要】
【発明が解決しようとする課題】
【０００４】
市場の要求は変化するため、少なくとも２段階のロック機構を有する異なるスライドレール製品（例えばスライドレールアセンブリ）を開発することには意義がある。
【０００５】
本発明は、２段階でロック可能であるが、一回の操作でロックを完全に解除できるスライドレールアセンブリを提供する。
【課題を解決するための手段】
【０００６】
本発明の一態様によれば、スライドレールアセンブリは第１のレール、第２のレール、第１のロック機構、第２のロック機構及び操作部材を含む。第１のレールはブロック部を含み、該ブロック部は幅を有する。第２のレールは第１のレールに対して長手方向に変位可能である。第１のロック機構は第２のレールに配置され、第１の要素、第２の要素、第１の弾性要素及び第２の弾性要素を含む。第１の弾性要素は第１の要素に弾性力を加えるように構成されている。第２の要素は第２のレールに対して第１の位置及び第２の位置のいずれかにあるように構成され、第２の弾性要素の弾性力に対応して第１の位置で留まる。第２の要素が第１の位置にある場合に第１の要素及び第２の要素の間にブロック部の幅よりも小さい第１の空間が定義される。第２のロック機構も第２のレールに配置される。操作部材は第１のロック機構及び第２のロック機構に接続される。第２のレールが第１のレールに対して引っ込め位置から第１の方向に変位された後で所定の位置に到達した場合、第１のロック機構の第２の要素は第１のレールのブロック部と接触する。第２のレールが第１のレールに対して第１の方向にさらに変位された後で第１の所定の位置に到達して第１のレールの前端を越えて第１の距離伸長した場合、第２の要素は第２のレールに対して第２の位置に到達する。その結果、第２の弾性要素が弾性力を蓄積し、第２の要素と第１の要素との間の第１の空間がロック空間に変化し、第１のレールのブロック部が該ロック空間内でロックされて、第２の要素及び第１の要素がブロック部にロックされる。操作部材を操作することにより第２の要素及び第１の要素がブロック部からロック解除されると、第２の弾性要素は蓄積した弾性力を放って第２の要素を第１の位置に戻す。第２のレールが第１のレールに対して第１の所定の位置から第１の方向に変位された後で第２の所定の位置に到達して第１のレールの前端を越えて第２の距離伸長した場合、第２のロック機構は第１のレールのブロック部にロックされる。操作部材は、第２のレールを第１のレールに対して第２の方向に引っ込めることができるように第１のロック機構及び第２のロック機構をロック状態から非ロック状態に駆動させるよう動作可能である。
【０００７】
第１の要素は第１のシャフトを通じて第２のレールに回転可能に取り付けられ、第２の要素は第２のシャフトを通じて第２のレールに回転可能に取り付けられることが好ましい。
【０００８】
第２の要素及び第２のレールのうちの一方はスロットを含み、第２のシャフトはスロットの一部を貫通して第２の要素が第１の位置及び第２の位置のいずれかにあることができるようにすることが好ましい。
【０００９】
第２の弾性要素はバネであることが好ましい。
【００１０】
第１の弾性要素はバネであることが好ましい。
【００１１】
第１の弾性要素と第２の弾性要素とは実質的に同じ方向に配置されることが好ましい。
【００１２】
第２の弾性要素は第２のレールの長手方向に沿って配置されることが好ましい。
【００１３】
第２のレールは第１の位置制限部及び第２の位置制限部を含み、第１の要素及び第２の要素は第１の構造及び第２の構造をそれぞれ含み、該第１の構造及び該第２の構造は該第１の位置制限部及び該第２の位置制限部とそれぞれ協働するように構成されることが好ましい。
【００１４】
第２のレールは第３の位置制限部をさらに含み、第１の要素及び第２の要素は第３の構造及び第４の構造をそれぞれ含み、該第３の構造及び該第４の構造は該第３の位置制限部と協働するように構成されることが好ましい。
【００１５】
第１のシャフトは第３の構造と第１の構造との間に位置し、第２のシャフトは第４の構造と第２の構造との間に位置することが好ましい。
【００１６】
第１の要素は第１のガイド部を含み、該第１のガイド部のおかげで、第１の要素はブロック部の第１の側を越えてブロック部の第２の側へと第１の方向に移動できることが好ましい。
【００１７】
第１の要素及び第２の要素は、第２のレールが第１の所定の位置にある場合にブロック部の２つの側にそれぞれ位置し且つロック状態にあることが好ましい。
【００１８】
操作部材は、第２のレールが第１のレールに対して第１の所定の位置から第２の所定の位置へと第１の方向に変位できるように第１の要素及び第２の要素をロック状態から非ロック状態に変化させるよう動作可能であることが好ましい。
【００１９】
第２のロック機構は第２のレールに枢結される第３の要素を含むことが好ましい。
【００２０】
スライドレールアセンブリはベースをさらに含み、該ベースは第３の要素に弾性力を加えるための弾性部を含むことが好ましい。
【００２１】
第３の要素はガイド構造を含み、該ガイド構造のおかげで、第３の要素はブロック部の第１の側を越えてブロック部の第２の側へと第１の方向に移動できることが好ましい。
【００２２】
第２のレールが第２の所定の位置にある場合、第３の要素はブロック部の第２の側にあり且つロック状態にあることが好ましい。
【００２３】
操作部材は、第２のレールを第１のレールに対して第２の所定の位置から第２の方向に引っ込めることができるように第３の要素、第２の要素及び第１の要素をロック状態から非ロック状態に変化させるよう動作可能であることが好ましい。
【００２４】
スライドレールアセンブリは第３のレールをさらに含み、第１のレールは第３のレールと第２のレールとの間に可動に取り付けられることが好ましい。
【００２５】
本発明の別の態様によれば、レールキットはスライドレールと、第１のロック機構と、第２のロック機構と、操作部材とを含む。第１のロック機構及び第２のロック機構はスライドレールの２つの異なる部分にそれぞれ配置される。第１のロック機構は第１の要素、第２の要素、第１の弾性要素及び第２の弾性要素を含む。第１の弾性要素は第１の要素に弾性力を加えるように構成されている。第２の要素はシャフトを通じてスライドレールに回転可能に取り付けられる。第２の要素及びスライドレールのうちの一方にスロットが設けられ、シャフトはスロットの一部を貫通して第２の要素が第１の位置及び第２の位置のいずれかに到達できるようにする。第２の要素は第２の弾性要素の弾性力に対応して第１の位置で留まるように構成されている。操作部材は第１のロック機構及び第２のロック機構を操作するように構成されている。第２の要素が第１の位置にある場合、第２の要素及び第１の要素の間に第１の空間が定義される。第２の要素が第２の位置にある場合、第１の空間は第１の空間よりも大きいロック空間に変化する。第２の弾性要素はスライドレールの長さに沿って実質的に配置される。
【図面の簡単な説明】
【００２６】
【図１】図１は、本発明の一実施形態に係る一対のスライドレールアセンブリを通じて物体がラックにどのようにして取り付けられているかを示す斜視図である。
【図２】図２は、本発明の実施形態に係るスライドレールアセンブリの分解斜視図である。
【図３】図３は、図２において○で囲んだ領域Ａの拡大図である。
【図４】図４は、本発明の実施形態に係るスライドレールアセンブリの組み立て斜視図である。
【図５】図５は、図４において○で囲んだ領域Ａの拡大図である。
【図６】図６は、本発明の別の実施例における第２のレール及び第２の要素の組み立て斜視図である。
【図７】図７は、引っ込められた状態にあるスライドレールアセンブリを示す概略図である。
【図８】図８は、第１のレールに対して第１の方向に変位されたスライドレールアセンブリの第２のレールを示す概略図である。
【図９】図９は、第１のレールに対して第１の方向にさらに変位されたスライドレールアセンブリの第２のレールを示す概略図である。
【図１０】図１０は、第１のレールに対して第１の方向にさらに変位されたスライドレールアセンブリの第２のレールを示す概略図である。
【図１１】図１１は、スライドレールアセンブリの第２のレールが第１のレールに対して第１の方向に変位された後で第１の所定の位置に到達し、第１のロック機構が第１のレールのブロック部にロックされた状態を示す概略図である。
【図１２】図１２は、操作部材に力を加えて第１のロック機構を第１のレールのブロック部からロック解除して第２のレールが第１の方向にさらに変位できるようにした状態を示す概略図である。
【図１３】図１３は、操作部材に力がもはや加えられておらず、第２のレールが第１の方向にさらに変位された状態を示す概略図である。
【図１４】図１４は、スライドレールアセンブリの第２のレールが第１のレールに対して第１の方向にさらに変位された状態を示す概略図である。
【図１５】図１５は、スライドレールアセンブリの第２のレールが第１のレールに対して第１の方向にさらに変位された状態を示す概略図である。
【図１６】図１６は、スライドレールアセンブリの第２のレールが第１のレールに対して第１の方向に変位された後で第２の所定の位置に到達し、第２のロック機構が第１のレールのブロック部にロックされた状態を示す概略図である。
【図１７】図１７は、操作部材を操作して第２のロック機構及び第１のロック機構の関連要素をロック状態からロック解除状態にすることにより第２のレールを第１のレールに対して第２の方向に引っ込めることができる状態を示す概略図である。
【発明を実施するための形態】
【００２７】
図１を参照して、物体２０は、本発明の一実施形態に係る一対のスライドレールアセンブリ２２を通じてラック２４の複数のポスト（例えば、一対の第１のポスト２４ａ及び一対の第２のポスト２４ｂ）に取り付けられている。各スライドレールアセンブリ２２は第１のレール２６、第２のレール２８を含み、第３のレール３０も含むことが好ましい。第１のレール２６は第３のレール３０と第２のレール２８との間で可動に取り付けられ、第３のレール３０は第１のブラケット３２ａを通じて対応する第１のポスト２４ａに、第２のブラケット３２ｂを通じて対応する第２のポスト２４ｂに取り付けられており、第２のレール２８は、第２のレール２８を通じて物体２０をラック２４から押し出すこと及びラック２４内に押し込むことができるように物体２０を保持する。
【００２８】
図２〜図４に示すように、第１のブラケット３２ａ及び第２のブラケット３２ｂは、スライドレールアセンブリ２２の第３のレール３０の２つの部分（例えば、前部及び後部）にそれぞれ配置され、第３のレール３０は第１の通路３４を定義する。
【００２９】
第１のレール２６は第３のレール３０の第１の通路３４内に可動に取り付けられる。第１のレール２６は第１の壁２６ａと、第２の壁２６ｂと、第１の壁２６ａ及び第２の壁２６ｂの間に接続される側壁２６ｃとを含む。第１の壁２６ａ、第２の壁２６ｂ及び側壁２６ｃは共に第２の通路３６を定義する。より具体的には、第１のレール２６は前端３８、後端４０及びブロック部４２を含む（図２参照）。ブロック部４２は前端３８と後端４０との間に位置し、第２の通路３６内にある。ブロック部４２は第１のレール２６の前端３８に隣接していることが好ましい。ブロック部４２は、第１のレール２６の側壁２６ｃと一体化された突起であるか又はブロック部４２を含む接続金具４４がブロック部４２が第１のレール２６の側壁２６ｃから突出するように第１のレール２６にリベット留め、溶接又はネジ接続により接続されていてもよい。本発明はこの点で限定されない。
【００３０】
第２のレール２８は第１のレール２６の第２の通路３６内に可動に取り付けられる。第２のレール２８は第１の壁２８ａと、第２の壁２８ｂと、第１の壁２８ａ及び第２の壁２８ｂの間に接続される側壁２８ｃとを含む。
【００３１】
スライドレールアセンブリ２２は第１のロック機構４６、第２のロック機構４８及び操作部材５０をさらに含む。
【００３２】
第１のロック機構４６及び第２のロック機構４８は第２のレール２８の２つの異なる部分にそれぞれ配置される。例えば、第１のロック機構４６は第２のロック機構４８よりも第２のレール２８の前端の近くにあり、第２のロック機構４８は第１のロック機構４６よりも第２のレール２８の後端の近くにある。しかしながら、実際には２つのロック機構はこのように配置されている必要はない。第１のロック機構４６及び第２のロック機構４８は第２のレール２８の側壁２８ｃに位置し、互いに離間されている。第２のレール２８（特許請求の範囲ではスライドレールとも呼ぶ）、第１のロック機構４６、第２のロック機構４８及び操作部材５０はレールキットを構成する。
【００３３】
第１のロック機構４６は第１の要素５２、第２の要素５４、第１の弾性要素８６及び第２の弾性要素８８を含む。第１の要素５２及び第２の要素５４は第２のレール２８に可動に取り付けられる。より具体的には、第１の要素５２は第１のシャフト５６を通じて第２のレール２８の側壁２８ｃに枢結され、第２の要素５４は第２のシャフト５８（特許請求の範囲ではシャフトともいう）を通じて第２のレール２８の側壁２８ｃに枢結される。第１の弾性要素８６は第１の要素５２に弾性力を加えるように構成され、第２の弾性要素８８は第２の要素５４に弾性力を加えるように構成される。第１の弾性要素８６及び第２の弾性要素８８は２つの別個のバネ（例えば引っ張りバネ）である。あるいは、第１の要素５２及び第２の要素５４に弾性力を加えるのに単一の弾性要素を用いてもよい。第１の弾性要素８６は第２のレール２８の長さに実質的に沿って延びる方向に配置され、第２の弾性要素８８も同様に配置されることが好ましい。例えば、双方の弾性要素は第２のレール２８の長手方向に沿って配置される。
【００３４】
第２のレール２８は第１の位置制限部９０及び第２の位置制限部９２を含み、第１の要素５２は第１の位置制限部９０と協働するように構成された第１の構造９４を含み、第２の要素５４は第２の位置制限部９２と協働するように構成された第２の構造９６を含むことが好ましい。この実施形態では、第１の位置制限部９０は第１の開口であり、第１の構造９４は第１の開口内に延びて第１の開口の対向する２つの壁の間に位置する第１の突起である。同様に、第２の位置制限部９２は第２の開口であり、第２の構造９６は第２の開口内に延びて第２の開口の対向する２つの壁の間に位置する第２の突起である。なお、第１の開口及び第２の開口は必ずしも中空状の構成を有していなくてもよく、そのような構成に代えて溝であってもよい。
【００３５】
第２のレール２８は、側壁２８ｃに第１の接続部９７ａ及び第２の接続部９７ｂをさらに含むことが好ましい。ここでは、第１の接続部９７ａ及び第２の接続部９７ｂは一例として突出フックである。代わりに、２つの接続部は例えば締結孔であってもよい。第１の弾性要素８６は第１の接続部９７ａと第１の構造９４との間に取り付けられ、第２の弾性要素８８は第２の接続部９７ｂと第２の構造９６との間に取り付けられる。第２のレール２８は第３の位置制限部９８をさらに含み、第１の要素５２は第３の位置制限部９８と協働するように構成された第３の構造１００を含み、第２の要素５４は第３の位置制限部９８と協働するように構成された第４の構造１０２をさらに含むことが好ましい。この実施形態では、第３の位置制限部９８は第３の開口であり、第３の構造１００は第３の開口内に延びて第３の開口の対向する２つの壁の間に位置する第３の突起である。なお、第３の開口は中空状の構成を有している必要はなく、そのような構成に代えて溝であってもよい。例えば、第４の構造１０２は第２の要素５４の延長壁であり、第３の構造１００と位置が対応することが好ましい。より具体的には、第４の構造１０２及び第３の構造１００は所定の状態にある場合にお互いが当接する。加えて、第１のシャフト５６は第３の構造１００と第１の構造９４との間に位置し、第２のシャフト５８は第４の構造１０２と第２の構造９６との間に位置する。
【００３６】
好ましい一実施形態では、第２の要素５４は取り囲まれた領域内で第１の要素５２に対して長手方向に変位できる。例えば、第２の要素５４及び第２のレール２８の一方にスロット５５が設けられる。図３では、スロット５５が第２の要素５４に形成されている場合を示す。
【００３７】
より具体的には、スロット５５は一例として楕円形の孔として形成され、第２のシャフト５８はスロット５５を貫通できる。スロット５５は、第２のレール２８の長さ（即ち、長手方向）に沿って延在することが好ましい。第２のシャフト５８のシャンク（図５参照）はスロット５５の一部を貫通して第２のレール２８の側壁２８ｃに接続されている。そのため、第２の要素５４は第２のシャフト５８又は第２のレール２８に対して長手方向に変位できる。例えば、スロット５５は第２のシャフト５８のシャンク直径Ｗ２よりも大きい孔直径Ｗ１を有し、第２の要素５４は、孔直径Ｗ１及びシャンク直径Ｗ２により定義される領域内で第２のシャフト５８に対して長手方向に変位できる。
【００３８】
第２の要素５４は、第２の弾性要素８８の弾性力に対応して第２のシャフト５８又は第２のレール２８に対して第１の位置に留まる。図６に示す別の実施例では、代わりにスロット５５が第２のレール２８に設けられ、第２のシャフト５８のシャンクはスロット５５の一部を貫通して、取り囲まれた領域内で第２の要素５４が長手方向に変位できるようにする。そのため、スロット５５の構成は図５に示すものに何ら限定されない。
【００３９】
図２及び図４を参照して、第２のロック機構４８は第３の要素６０を含み、第４の要素６２も含むことが好ましい。第３の要素６０及び第４の要素６２は第２のレール２８に別々に回転可能に取り付けされる。より具体的には、第３の要素６０は第３のシャフト６４を通じて第２のレール２８の側壁２８ｃに枢結され、第４の要素６２は第４のシャフト６６を通じて第２のレール２８の側壁２８ｃに枢結される。
【００４０】
スライドレールアセンブリ２２又はレールキットは第２のレール２８の側壁２８ｃに固定接続されるベース７０をさらに含むことが好ましい。ベース７０は、第３の要素６０に弾性力を加えるための第１の弾性部７４ａと、第４の要素６２に弾性力を加えるための第２の弾性部７４ｂと含む。
【００４１】
操作部材５０は第１のロック機構４６及び第２のロック機構４８を操作するように構成されている。例えば、操作部材５０は第１のロック機構４６の第１の要素５２及び第２の要素５４並びに第２のロック機構４８の第３の要素６０を操作するために用いることができる。ここでは、一例として、操作部材５０は第２のレール２８に配置され、第１のロック機構４６の第１の要素５２及び第２の要素５４並びに第２のロック機構４８の第３の要素６０に接続されている。
【００４２】
より具体的には、操作部材５０は延在部５０ａを含む。延在部５０ａは所定の長さを有し、第２のレール２８の長さと同じ方向に延びる。操作部材５０は、延在部５０ａに接続される操作部５０ｂをさらに含むことが好ましい。延在部５０ａは、延在部５０ａの長さに沿って連続して配置されるとともに、それぞれが第１の要素５２、第２の要素５４又は第３の要素６０に対応し且つ協働するように構成された構造（例えば、凹部又は凸部）を有する第１の駆動構造７６ａ、第２の駆動構造７６ｂ及び第３の駆動構造７６ｃ等の複数の駆動構造を含む。操作部材５０は第１の駆動構造７６ａ、第２の駆動構造７６ｂ及び第３の駆動構造７６ｃを通じて第１の要素５２、第２の要素５４及び第３の要素６０をそれぞれ操作できる（図２参照）。
【００４３】
第１の要素５２は傾斜面又は湾曲面である第１のガイド部７８を含むことが好ましい。第３の要素６０も傾斜面又は湾曲面であるガイド構造８４を含むことが好ましい（図４参照）。
【００４４】
図７は、引っ込められた状態にあるスライドレールアセンブリ２２を示す。この状態では、第２のレール２８は第１のレール２６に対して引っ込め位置Ｒにあり、第１のレール２６は第３のレール３０に対して引っ込められている。なお、第１のロック機構４６の第２の要素５４は、第２の弾性要素８８の弾性力により第２のレール２８に対して第１の位置Ｍ１で維持される。第２の要素５４が第１の位置Ｍ１にある間、第２の要素５４と第１の要素５２との間に第１の空間Ａ１が定義され、第１の空間Ａ１は第１のレール２６のブロック部４２の幅Ｂよりも小さい。他方、第２のロック機構４８の第３の要素６０と第４の要素６２との間に第２の空間Ａ２が定義され、第１のレール２６のブロック部４２の幅Ｂは第２の空間Ａ２よりも小さい。Ａ１、Ａ２及びＢの関係は数学的にＡ１＜Ｂ＜Ａ２として表すことができる。
【００４５】
図８では、第１の要素５２の第１のガイド部７８が第１のレール２６のブロック部４２の第１の側Ｌ１と接触するように、第２のレール２８は第１のレール２６に対して引っ込め位置Ｒから第１の方向Ｄ１（例えば開く方向）に所定の距離長手に変位されている。
【００４６】
第２のレール２８が第１の方向Ｄ１にさらに変位されると、図９に示すように第１の要素５２は、第１のガイド部７８とブロック部４２の第１の側Ｌ１とが接触することにより生じる力によって所定の角度傾斜される。この傾斜により、第１の弾性要素８６が弾性力を蓄積する間に第１の要素５２は第１のレール２６のブロック部４２の第１の側Ｌ１を越えて第１の方向Ｄ１に移動できる。なお、第１の要素５２が前記所定の角度傾斜されてい間、第１の要素５２の第１の構造９４が第１の位置制限部９０（例えば第１の開口）の壁に当接することにより又は第１の要素５２の第３の構造１００が第３の位置制限部９８（例えば第３の開口）の壁に当接することのいずれかにより第１の要素５２に位置制限効果が適用される。即ち、第１の要素５２の変位が第１の位置制限部９０及び／又は第３の位置制限部９８が第１の要素５２と協働することにより制限される。
【００４７】
第２のレール２８が第１のレール２６に対して第１の方向Ｄ１にさらに変位された後で所定の位置に到達すると、図１０に示すように、第１のロック機構４６の第２の要素５４は第１のレール２６のブロック部４２の第１の側Ｌ１と接触して押し付けられる。第２のレール２８が第１のレール２６に対して第１の方向Ｄ１にさらに変位された後で第１の所定の位置Ｐ１に到達すると、図１１に示すように、第２のレール２８は第１のレール２６の前端３８を越えて第１の距離Ｘ１伸長し、スライドレールアセンブリ２２は第１の伸長状態になる。このプロセスの間、第２の要素５４は第２のレール２８に対して第１の位置Ｍ１から第２の位置Ｍ２に移動する一方、第２の弾性要素８８は弾性力を蓄積するため、第１の空間Ａ１はロック空間Ａ１１に拡大される。その結果、第１のレール２６のブロック部４２はロック空間Ａ１１内でロックされる。より具体的には、第２のレール２８が第１の所定の位置Ｐ１にある場合、第１の要素５２は第１の弾性要素８６が放った弾性力に反応して枢動しその元の傾斜位置に戻ってブロック部４２の第２の側Ｌ２に到達する。他方、第２の要素５４はブロック部４２の第１の側Ｌ１にある。その結果、第１の要素５２及び第２の要素５４はそれぞれブロック部４２の２つの側にあり、第２のレール２８が第１のレール２６に対して勝手に変位するのを防止するためにロック状態Ｓ１にある。なお、第２の弾性要素８８の弾性力及び第１の要素５２は第２の要素５４がブロック部４２にしっかりとロックされるようにするのに役立つ。
【００４８】
図１２を参照して、操作部材５０は第１のロック機構４６をブロック部４２からロック解除するために操作できる。例えば、ユーザーは操作部材５０に力Ｆを加えることにより操作部材５０を操作して、（第３の要素６０と共に）第１の要素５２及び第２の要素５４が操作部材５０により所定の角度傾斜され、それによりブロック状態Ｓ１から非ブロック状態Ｓ２に変化するようにできる。非ブロック状態Ｓ２では、第１の要素５２及び第２の要素５４はブロック部４２にロックされておらず、第１の弾性要素８６、第２の弾性要素８８及び第１の弾性部７４ａのぞれぞれは弾性力を蓄積する。なお、第２の要素５４が前記所定の角度傾斜されて非ロック状態Ｓ２に入る間、第２の要素５４の第２の構造９６が第２の位置制限部９２（例えば第２の開口）の壁に当接することにより第２の要素５４に又は第１の要素５２の第３の構造１００が第３の位置制限部９８（例えば第３の開口）の壁に当接することにより第２の要素５４の第４の構造１０２に位置制限効果が適用される。また、第１の要素５２が前記所定の角度傾斜されて非ロック状態Ｓ２に入る間、第１の要素５２の第１の構造９４が第１の位置制限部９０（例えば第１の開口）の壁に当接することにより又は第１の要素５２の第３の構造１００が第３の位置制限部９８（例えば第３の開口）の壁に当接することのいずれかにより第１の要素５２に位置制限効果が適用される。
【００４９】
第１の要素５２及び第２の要素５４がもはやブロック部４２にロックされていない場合、図１３に示すように、第２のレール２８は第１のレール２６に対して第１の方向Ｄ１にさらに変位できる。なお、第１の要素５２、第２の要素５４及び第３の要素６０は、ユーザーが操作部材５０に力Ｆを加えるのを止めると直ぐに第１の弾性要素８６の弾性力、第２の弾性要素８８の弾性力及び第１の弾性部７４ａの弾性力によりそれぞれ非ロック状態Ｓ２からロック状態Ｓ１に戻される。より具体的には、力Ｆが取り除かれて第１のロック機構４６がブロック部４２からロック解除され（それにより、第２の要素５４が第１のレール２６のブロック部４２の第１の側Ｌ１から離れ）た場合、第２の弾性要素８８は蓄積した弾性力を放ち、その弾性力は第２の要素５４に作用して第２の要素５４を第２の位置Ｍ２から第１の位置Ｍ１へと戻す。その結果、ロック空間Ａ１１が縮小して第１の空間Ａ１になる。
【００５０】
なお、実質的に第２のレール２８の長さ（即ち、長手方向）に沿って延びる第２の弾性要素８８の方向は、第２の弾性要素８８から放たれる弾性力に対応して第２の要素５４が第２の位置Ｍ２から第１の位置Ｍ１に戻る際の長手方向の変位を促進する。これは、ロック空間Ａ１１が確実に縮んで第１の空間Ａ１になることを確かなものにする。
【００５１】
図１４を参照して、第１のロック機構４６がブロック部４２からロック解除されると、第２のレール２８は、第２のロック機構４８の第３の要素６０のガイド構造８４が第１のレール２６のブロック部４２の第１の側Ｌ１と接触するように第１のレール２６に対して第１の所定の位置Ｐ１から別の所定の位置へと第１の方向Ｄ１に変位できる。
【００５２】
第２のレール２８が第１の方向Ｄ１にさらに変位されると、図１５に示すように第３の要素６０は、ガイド構造８４とブロック部４２の第１の側Ｌ１との接触により生成される力により所定の角度傾斜されてロック状態Ｓ１から解除される。傾斜により、ベース７０の第１の弾性部７４ａが弾性力を蓄積する間、第３の要素６０は第１のレール２６のブロック部４２の第１の側Ｌ１を越えて第１の方向Ｄ１に移動できる。
【００５３】
図１６を参照して、第２のレール２８が第１のレール２６に対して第１の方向Ｄ１にさらに変位された後で第２の所定の位置Ｐ２に到達し、第１のレール２６の前端３８を越えて第１の距離Ｘ１よりも大きい第２の距離Ｘ２伸長すると、スライドレールアセンブリ２２は第２の伸長状態にある。第２の伸長状態では、第２のロック機構４８は第１のレール２６のブロック部４２にロックされる。例えば、第２のレール２８が第１のレール２６に対して第１の方向Ｄ１に変位された後で第２の所定の位置Ｐ２に到達すると、第３の要素６０はベース７０の第１の弾性部７４ａから放たれる弾性力に対応してブロック部４２の第２の側Ｌ２に到達し、他方、第４の要素６２はブロック部４２の第１の側Ｌ１にある。この結果、第３の要素６０及び第４の要素６２はそれぞれブロック部４２の２つの側にあり、第２のレール２８が第１のレール２６に対して勝手に変位するのを防止するためにロック状態Ｓ１にある。
【００５４】
図１７を参照して、操作部材５０は第３の駆動構造７６ｃ、第２の駆動構造７６ｂ及び第１の駆動構造７６ａを通じてそれぞれ第３の要素６０、第２の要素５４及び第１の要素５２を操作できる（図２参照）。例えば、ユーザーは、第２のロック機構４８の第３の要素６０並びに第１のロック機構４６の第２の要素５４及び第１の要素５２がロック状態Ｓ１から非ロック状態Ｓ２に変化するように操作部材５０に力を加えて操作できる。非ロック状態Ｓ２では、第３の要素６０はもはやブロック部４２にロックされていない（第２の要素５４及び第１の要素５２もブロック部４２にロックされていない）。操作部材５０に加えられた力Ｆが取り除かれると、第１のロック機構４６は、第１のレール２６のブロック部４２の幅Ｂよりも小さい第１の空間Ａ１を再形成する。第１のレール２６のブロック部４２は第１のロック機構４６の第１の空間Ａ１でロックされないため、第２のレール２８を第１のレール２６に対して第２の所定の位置Ｐ２から第１の方向Ｄ１の反対方向である第２の方向Ｄ２に直接引っ込めることができる。即ち、本実施形態に係るスライドレールアセンブリ２２は２段階ロックが可能であるが、一回のステップで完全にロックを解除できる。
【００５５】
上記から、前述のスライドレールアセンブリ２２は下記の特徴を有することが好ましいことが分かる。
１）スライドレールアセンブリ２２は２段階ロック機構を有する。例えば、スライドレールアセンブリ２２は第２のレール２８が第１のレール２６に対して第１の所定の位置Ｐ１にある場合に（第２のレール２８が第１のレール２６に対して勝手に変位するのを防止するために）一回目のロックができ、（（第２のレール２８が第１のレール２６に対して勝手に変位するのを防止するために）第２のレール２８が第１のレール２６に対して第２の所定の位置Ｐ２にある場合に２回目のロックができる。
２）第２のレール２８が第１のレール２６に対して第２の所定の位置Ｐ２にある場合、ロック機構をロック状態から非ロック状態にして第２のレール２８を第２の所定の位置Ｐ２から図７に示す状態へと第２の方向Ｄ２に沿って第１のレール２６に対して直接引っ込めることができるようにユーザーは操作部材５０を用いて第１のロック機構４６及び第２のロック機構４８を同時に操作することができる。
３）第１のロック機構４６の第２の要素５４は、第２の要素５４と第１の要素５２との間の距離を調節できるように第１のロック機構４６が設けられるスライドレール（例えば、第２のレール２８）に対して変位できる。第１のレール２６のブロック部４２は、第２の要素５４と第１の要素５２との間に形成される第１の空間Ａ１内にロックできないが、第２の要素５４と第１の要素５２との間に形成されるロック空間Ａ１１内にロックできる。
４）第１のロック機構４６の第２の要素５４は特定の状態（例えば、ロック状態）に留まるのに１つの弾性要素（例えば、第２の弾性要素８８）の弾性力のみを必要とする。そのような構造的な簡素さは、特定の市場の要求を満たすことが期待できる。同様に、第１のロック機構４６の第１の要素５２は所定の状態に留まるのに１つの弾性要素（例えば、第１の弾性要素８６）の弾性力のみを必要とする。
５）第１の弾性要素８６及び第２の弾性要素８８は、実質的に同じ方向に配置される２つの別個のバネである（例えば、それらが設けられるスライドレールの長さ又は長手方向に実質的に沿って双方配置される）。
６）第２の弾性要素８８は、それが設けられるスライドレールの長さ又は長手方向に沿って実質的に配置されることで、第２の弾性要素８８から放たれる弾性力に反応して第２の要素５４を第２の位置Ｍ２から第１の位置Ｍ１へと容易に長手方向に容易に変位できる。これは、ロック空間Ａ１１が確かに縮小されて第１の空間Ａ１になるのを確実なものにするのに役立つ。
７）第１の要素５２の第１の構造９４は第２のレール２８の第１の位置制限部９０と協働するように構成され、第２の要素５４の第２の構造９６は第２のレール２８の第２の位置制限部９２と協働するように構成されている。
８）第１の要素５２の第３の構造１００及び第２の要素５４の第４の構造１０２は第２のレール２８の第３の位置制限部９８と協働するように構成されている。
【００５６】
好ましい実施形態を通じて本発明を上記で説明してきたが、これらの実施形態は本発明の範囲を限定することを意図したものではないことを理解すべきである。出願人が求める特許保護の範囲は添付の特許請求の範囲で定義されている。
【符号の説明】
【００５７】
２０  物体
２２  スライドレールアセンブリ
２４  ラック
２６  第１のレール
２８  第２のレール
３０  第３のレール
３２ａ、３２ｂ  ブラケット
３４  第１の通路
３６  第２の通路
３８  前端
４０  後端
４２  ブロック部
４４  接続金具
４６  第１のロック機構
４８  第２のロック機構
５０  操作部材
５２  第１の要素
５４  第２の要素
５６  第１のシャフト
５８  第２のシャフト
６０  第３の要素
６２  第４の要素
６４  第３のシャフト
６６  第４のシャフト
６８  第１の弾性要素
７０  ベース
７４ａ  第１の弾性部
８４  ガイド構造
【図１】
2020110568.tif 000003
【図２】
2020110568.tif 000004
【図３】
2020110568.tif 000005
【図４】
2020110568.tif 000006
【図５】
2020110568.tif 000007
【図６】
2020110568.tif 000008
【図７】
2020110568.tif 000009
【図８】
2020110568.tif 000010
【図９】
2020110568.tif 000011
【図１０】
2020110568.tif 000012
【図１１】
2020110568.tif 000013
【図１２】
2020110568.tif 000014
【図１３】
2020110568.tif 000015
【図１４】
2020110568.tif 000016
【図１５】
2020110568.tif 000017
【図１６】
2020110568.tif 000018
【図１７】
2020110568.tif 000019